(57)【要約】【課題】  開口部が静電気等の影響で密着しやすい袋を、買い物客等が容易かつ迅速に開口できるようにする開袋補助具を提供する。【解決手段】  エラストマーにより形成されたパッド状部材を有し、上記パッド状部材は裏面部を取付部材に対し固定しうるように形成され、上記パッド状部材の表面部には、袋の開口部の一方側面部を貼着した状態で他方側面部を擦りずらすことにより、上記他方側面部を上記一方側面部から引き剥がす場合でも、上記貼着状態を保持しうる程度の粘着力を有する袋固定部が設けられている。上記パッド状部材の裏面部には、取付部材に対する固定手段として両面接着テープが取り付けられ、上記パッド状部材は透明に形成され、上記パッド状部材の裏面部には、使用説明書が表面部から透視可能に貼着されている。【選択図】  図１
0003126881.tif 000002
【実用新案登録請求の範囲】
【請求項１】
エラストマーにより形成されたパッド状部材を有し、上記パッド状部材は裏面部を取付部材に対し固定しうるように形成され、
上記パッド状部材の表面部には、袋の開口部の一方側面部を貼着した状態で他方側面部を擦りずらすことにより、上記他方側面部を上記一方側面部から引き剥がす場合でも、上記貼着状態を保持しうる程度の粘着力を有する袋固定部が設けられていることを特徴とする開袋補助具。
【請求項２】
上記パッド状部材にはパラフィン系オイルが３０％〜４０％含有されていることを特徴とする請求項１記載の開袋補助具。
【請求項３】
上記パッド状部材の裏面部には、取付部材に対する固定手段として両面接着テープが取り付けられていることを特徴とする請求項１〜２のいずれかに記載された開袋補助具。
【請求項４】
上記パッド状部材は透明に形成されていることを特徴とする請求項１〜３のいずれかに記載された開袋補助具。
【請求項５】
上記パッド状部材の裏面部には、使用説明書が表面部から透視可能に貼着されていることを特徴とする請求項４記載の開袋補助具。
【考案の詳細な説明】
【技術分野】
【０００１】
本考案は開袋補助具に係り、特に、開口部が密着しやすくて開口しにくい袋を、容易に開口できるようにする開袋補助具に関する。
【背景技術】
【０００２】
例えばスーパーなどで買い物する場合、レジではレジ袋が手渡され、又、惣菜等の売り場には惣菜袋が備えられ、買い物客は自分でそのレジ袋や惣菜袋を開口して購買品を収納する必要がある。
【０００３】
しかしながら、上記の袋は殆どがプラスチック製フィルムで形成されていることから、湿度、温度、静電気、買い物客の指の乾燥等の影響を受けて開口部が密着しやすく、開口に手間取るので、急いでいる場合などは、買い物客がイライラすることが多かった。
【０００４】
また、店側にとっても、混雑時はレジがスムーズに流れず、レジの前にお客が並んでしまうという不具合があった。
【０００５】
上記のような不具合を解消するため、買い物客の中には、サッカー台に備えられた塗れ布巾に指を触れたり、自分の唾液を指に付ける人もいるが、不衛生感は否めなかった。
【０００６】
また、コンビニや、ホビーショップなどでは、レジ袋に商品を収納するのがキャッシャーの作業になるので、連続的な作業を強いられることが多かった。
【０００７】
また、雨の日にはスーパー等の入り口には、塗れた傘を収納するための袋が用意されることが多いが、買い物客は片手で袋を開口しなければならず手間取っていた。
【０００８】
そこで、レジ袋等を買い物客が容易かつ迅速に開口しうる手頃な用具が要望されている。本出願人は上記の要望に応えうる用具について調査したが、関連する先行技術文献を見出すことはできなかった。
【考案の開示】
【考案が解決しようとする課題】
【０００９】
本考案の課題は、開口部が静電気等の影響で密着しやすい袋を、買い物客等が容易かつ迅速に開口できるようにする開袋補助具を提供することにある。
【課題を解決するための手段】
【００１０】
上記課題を解決するために、請求項１記載の本考案に係る開袋補助具は、エラストマーにより形成されたパッド状部材を有し、上記パッド状部材は裏面部を取付部材に対し固定しうるように形成され、上記パッド状部材の表面部には、袋の開口部の一方側面部を貼着した状態で他方側面部を擦りずらすことにより、上記他方側面部を上記一方側面部から引き剥がす場合でも、上記貼着状態を保持しうる程度の粘着力を有する袋固定部が設けられていることを特徴とする。
【００１１】
すなわち、本考案に係る上記開袋補助具にあっては、エラストマーを素材として形成されたパッド状部材の裏面部を取付部材に固定し、上記パッド状部材の表面部に設けられた粘着性を有する袋固定部に、開口しようとする袋の一方側面部を貼着させ、その状態で、上記袋の他方側面部を指等で擦ることにより上記他方側面部を上記一方側面部から引き剥がして容易に開口することができる。
【００１２】
また、本考案に係る上記開袋補助具は、上記パッド状部材にパラフィン系オイルが３０％〜４０％含有されている。
【００１３】
すなわち、本考案に係る上記開袋補助具にあっては、上記パッド状部材にパラフィン系オイルが３０％〜４０％含有されていることにより、エラストマー製の上記パッド状部材は、袋の一方側面部を仮止めしうる程度の適度な粘着性を有することができる。
【００１４】
また、本考案に係る上記開袋補助具は、上記パッド状部材の裏面部に、取付部材に対する固定手段として両面接着テープが取り付けられている。
【００１５】
すなわち、本考案に係る上記開袋補助具にあっては、上記のように上記パッド状部材は自己粘着性を有するので取付部材に対し固定することも可能だが、上記粘着性のみでは固定が不十分で使用中に動いてしまう虞があることから、確実に固定しうるように固定手段として上記両面接着テープが裏面部に取り付けられている。
【００１６】
また、本考案に係る上記開袋補助具は、上記パッド状部材が透明に形成されている。
【００１７】
すなわち、本考案に係る上記開袋補助具にあっては、上記パッド状部材の裏面側に配置したものを表面側から透視することができる。
これにより、上記パッド状部材の裏側に、例えば使用説明書などの買い物客に告知する必要のあるシート等を貼着することができる。
【００１８】
また、本考案に係る上記開袋補助具は、上記パッド状部材の裏面部に、使用説明書が表面部から透視可能に貼着されている。
【００１９】
すなわち、本考案に係る上記開袋補助具にあっては、スーパー等のレジに設置した場合に、買い物客が使用する場合に戸惑わないように、買い物客が容易に使用方法を理解して即座に使用しうるように、上記パッド状部材の裏面部に、使用説明書を表面部から透視可能に貼着したものである。これにより、買い物客は上記使用説明書を読むことにより使用方法を即座に理解することができる。
【考案の効果】
【００２０】
請求項１記載の本考案に係る開袋補助具は、エラストマーにより形成されたパッド状部材を有し、上記パッド状部材は裏面部を取付部材に対し固定しうるように形成され、上記パッド状部材の表面部には、袋の開口部の一方側面部を貼着した状態で他方側面部を擦りずらすことにより上記他方側面部を上記一方側面部から引き剥がす場合でも上記貼着状態を保持しうる程度の粘着力を有する袋固定部が設けられていることから、
上記パッド状部材の裏面部をスーパーのサッカー台などに固定して設置すれば、買い物客等は上記パッド状部材の表面部に設けられた粘着性を有する袋固定部に対しレジ袋等の一方側面部を貼着した状態で他方側面部を擦りずらすことにより袋を容易に開口することができる。
したがって、買い物客は袋を迅速に開口して購買品をスムースにレジ袋に収納できるのでイライラをを解消でき、また、店側にとってもレジの前に買い物客が並んで流れにくくなるという不具合を解消することができる。
また、上記パッド状部材はエラストマーにより容易に成形されるので、低コストで製造することができる。
【００２１】
請求項２記載の本考案に係る開袋補助具は、上記パッド状部材にはパラフィン系オイルが３０％〜４０％含有されていることから、
上記パッド状部材の表面部の袋固定部は適度な粘着力を有することができ、袋の一方側面部を貼着した状態で他方側面部を擦りずらしても袋が上記パッド状部材から剥離することはなく、支障なく袋の開口作業を行うことができる。
【００２２】
請求項３記載の本考案に係る開袋補助具は、上記パッド状部材の裏面部には、取付部材に対する固定手段として両面接着テープが取り付けられていることから、
上記両面接着テープを利用してスーパーのサッカー台等の取付部材に対し簡便にかつ確実に固定して設置することができる。
【００２３】
請求項４記載の本考案に係る開袋補助具は、上記パッド状部材は透明に形成されていることから、
上記パッド状部材の裏面部に例えば使用説明書などを配置しても表面部から支障なく透視することができる。
【００２４】
請求項５記載の本考案に係る開袋補助具は、上記パッド状部材の裏面部には、使用説明書が表面部から透視可能に貼着されていることから、スーパーの買い物客等は使用方法を容易に認識できるので、使用の際に迷うことがなく、袋をスムースに開口して購買品を迅速に収納することができる。
【考案を実施するための最良の形態】
【００２５】
以下、図面を用いて本考案の実施の形態について説明する。
本実施の形態に係る開袋補助具１１は、図１及び図２に示すように、エラストマーにより形成されたパッド状部材１２を有し、上記パッド状部材１２は裏面部１３を取付部材１４に対し固定しうるように形成され、上記パッド状部材１２の表面部１５には、図３に示すように、袋１６の開口部１７の一方側面部１８を貼着した状態で他方側面部１９を擦りずらすことにより、上記他方側面部１９を上記一方側面部１８から引き剥がす場合でも、上記貼着状態を維持しうる程度の粘着力を有する袋固定部２０が設けられている。
【００２６】
また、上記パッド状部材１２にはパラフィン系オイルが３０％〜４０％含有されている。
【００２７】
また、上記パッド状部材１２の裏面部１３には、図２に示すように、取付部材１４に対する固定手段として両面接着テープ２１ａ，２１ｂ，２１ｃ，２１ｄが取り付けられている。
【００２８】
また、図１に示すように、上記パッド状部材１２は透明に形成されている。
【００２９】
また、図１及び図２に示すように、上記パッド状部材１２の裏面部１３には、使用説明書２２が表面部１５から透視可能に貼着されている。
【実施例１】
【００３０】
図は実施例に係る開袋補助具１１を示したものである。
本実施例に係る開袋補助具１１は、図１に示すように、パッド状部材１２を有し、上記パッド状部材１２は、スチレン系エラストマーを素材として、半径が約４５ｍｍの円板を４等分した平面略扇形に形成されている。
なお、平面形状は自由であり、この実施例に限定されるものではない。
【００３１】
上記パッド状部材１２は、成形方法として、シート状部材を形成する場合に採用される押出成形や、インフレーション成形や、カレンダー成形ではなく、射出成形が採用されている。
【００３２】
すなわち、上記パッド状部材１２は、押出成形や、インフレーション成形や、カレンダー成形等で成形されたシート状部材とは明確に異なり、シート状部材より厚さ寸法が大きく、その厚さ寸法は約０．７〜０．８ｍｍに設定されている。
【００３３】
また、上記パッド状部材１２は透明に形成されている。
【００３４】
上記パッド状部材１２は、上記のように、スチレン系熱可塑性エラストマーを主体とする混合物（製品名「セプトンコンパウンドＣＪ１０１」クラレプラスチックス株式会社製）であって、パラフィン系オイルが含有されたスチレン系ポリマーを主成分とし、粘着性及び密着性を有している。
なお、パラフィン系オイルの含有量は３０〜４０％である。
【００３５】
上記パッド状部材１２は、図３に示すように、テーブル２３等の平滑な表面を取付部材１４としており、裏面部１３も表面部１５も平滑に形成され、上記表面部１５には袋固定部２０が設けられている。
【００３６】
上記パッド状部材１２の袋固定部２０は、スーパーで買い物した場合に渡されるポリ製の袋１６を容易に密着させて仮止めしうる程度の粘着性を有している。
上記の粘着性は、１回の使用で喪失されるものではなく、何度も密着及び剥離を繰り返しても失われることはない。
なお、上記袋固定部２０が汚れて粘着性が劣化した場合は、表面を洗浄することにより元の状態に容易に回復させることができる。
【００３７】
上記パッド状部材１２は、上記のように自己粘着性を有するので、単独でもテーブル２３等の表面に貼着して固定することができるが、固定状態を強化して確実に固定しうるように、裏面部１３には固定手段が設けられている。
【００３８】
上記固定手段としては、図２に示すように、取り扱いやすい両面接着テープ２１ａ，２１ｂ，２１ｃ，２１ｄが使用されている。
【００３９】
上記両面接着テープ２１ａ，２１ｂ，２１ｃ，２１ｄは、上記パッド状部材１２の裏面部１３における適宜な複数箇所に配置されている。
なお、上記両面接着テープ２１ａ，２１ｂ，２１ｃ，２１ｄは、使用前は剥離紙で被覆されており、使用する際には剥離紙を剥がしとる。
【００４０】
上記開袋補助具１１は、スーパー等において買い物客等が使用するものであるから、買い物客等が使用方法を理解する必要がある。
そこで、買い物客が使用の際に、使用方法を容易に理解して戸惑わないように、上記パッド状部材１２の裏面部１３には使用説明書２２が貼着されている。
上記パッド状部材１２は上記のように透明であることから、買い物客等は上記パッド状部材１２の表面部１５からでも上記使用説明書２２を目視することができる。
【００４１】
上記使用説明書２２には、図１に示すように、例えば「ここに開き口を当てて矢印の方向へ擦って下さい」などの文章が記載されている。
【００４２】
次に、上記実施例の作用について説明する。
本考案に係る上記開袋補助具１１は、例えば図３に示すように、スーパーのレジの近くに配置されたテーブル２３の上に固定して設置される。
【００４３】
上記開袋補助具１１をテーブル２３に固定する場合は、上記パッド状部材１２の裏面部１３に設けられた上記両面接着テープ２１ａ，２１ｂ，２１ｃ，２１ｄをテーブル２３の表面に貼着する。
これにより、上記パッド状部材１２は、使用中に動かないように、確実にテーブル２３に固定される。
【００４４】
買い物客はレジで購買品を持ち帰るためのポリ製の袋１６を渡される場合があるが、買い物客は自分でその袋１６を開口して購買品を収納する必要がある。
しかしながら、上記ポリ製の袋１６は、湿度、温度、静電気、買い物客の指の乾燥等の影響を受けて開口部１７が密着しやすく、開口に手間取るという不具合がある。
その場合、本考案に係る上記開袋補助具１１が役に立つことになる。すなわち、買い物客は上記開袋補助具１１を使用して上記袋１６の開口部１７を容易かつ迅速に開くことができる。
【００４５】
買い物客が、初めて上記開袋補助具１１を使用する場合は使用方法が解からず、戸惑う場合があるが、上記パッド状部材１２の裏面部１３には上記使用説明書２２が表面部１５から透視可能に貼着されているので、買い物客はその指示に従うことにより容易に袋１６を開口することができる。
【００４６】
すなわち、まず、袋１６の開口部１７の近くの一方側面部１８を上記パッド状部材１２における表面部１５に形成された袋固定部２０に押し付ける。
【００４７】
すると、上記パッド状部材１２は、上記のように、パラフィン系オイルを３０％〜４０％含有して適宜な粘着性を有していることから、上記袋１６の一方側面部１８は上記袋固定部２０に密着して固定される。
【００４８】
上記のように袋１６の一方側面部１８を上記パッド状部材１２における袋固定部２０に仮止めした状態で、買い物客は、図３に示すように、指２４の先を上記袋１６の他方側面部１９に当てて擦るように動かす。
【００４９】
このとき、袋１６の一方側面部１８は上記のように固定されて動かないので、袋１６の上記他方側面部１９のみが引っ張られて位置ずれする。
これにより、袋１６の他方側面部１９は一方側面部１８から引き剥がされて、袋１６の開口部１７は、図３に示すように、拡開状態となる。
【００５０】
これにより、買い物客は容易に袋１６を開いて購買品を収納し、持ち帰ることができる。
したがって、買い物客が袋１６を開くのに手間取ってイライラすることもない。
また、袋１６を開くために、買い物客が、サッカー台に備えられた塗れ布巾に指を触れたり、自分の唾液を指に付けるような不衛生感もなくなる。
また、コンビニや、ホビーショップなどでは、レジ袋に商品を収納するのがキャッシャーの作業になるが、この場合も、キャッシャーは袋を容易かつ迅速に開いて商品を収納することができるので、レジの流れがスムースになり、レジ前に客が並んでしまうという不具合を解消することができる。
【産業上の利用可能性】
【００５１】
本考案は、開口しにくい袋を容易に開口するための開袋補助具に適用可能である。
【図面の簡単な説明】
【００５２】
【図１】本考案の実施例に係る開袋補助具の斜視図である。
【図２】本考案の実施例に係る開袋補助具の裏面側の平面図である。
【図３】本考案の実施例に係る開袋補助具の使用方法を示す断面図である。
【符号の説明】
【００５３】
１１  開袋補助具
１２  パッド状部材
１３  裏面部
１４  取付部材
１５  表面部
１６  袋
１７  開口部
１８  一方側面部
１９  他方側面部
２０  袋固定部
２１ａ，２１ｂ，２１ｃ，２１ｄ  両面接着テープ
２２  使用説明書
２３  テーブル
２４  指
【図１】
0003126881.tif 000003
【図２】
0003126881.tif 000004
【図３】
0003126881.tif 000005